(57)【要約】【課題】  来場した遊技客についての遊技場内での動向をリアルタイムに尚且つ一目で把握可能にすること。【解決手段】  パチンコホール内のパチンコ遊技機についての遊技データ及び遊技客毎の個人収支データを管理するように設けられた管理コンピュータは、パチンコ遊技機と対応した位置に設けられた台毎端末が、遊技客に発行された会員カードから会員ＩＤ（個人ＩＤ）を読み取ったタイミングに基づいて各遊技客の来店時刻を認識すると共に、その来店時刻順に管理番号を付す。また、管理コンピュータは、台毎端末が読み取った会員ＩＤに基づいて当該台毎端末に対応したパチンコ遊技機で遊技中の遊技客の管理番号を特定し、この管理番号を利用して、遊技場に来店した遊技客毎の遊技継続の有無をその来店時刻順に整理した状態の稼働状況画面（遊技状況一覧画面）として表示する。【選択図】  図４
2005118431.tif 000002
【特許請求の範囲】
【請求項１】
複数台の遊技機が設置された遊技場用の管理システムにおいて、
遊技客を特定可能な個人ＩＤが記録された顧客特定媒体と、
前記遊技機と対応した位置に設けられ、当該遊技機での遊技時に前記顧客特定媒体から前記個人ＩＤを読み取る台毎端末と、
この台毎端末による前記個人ＩＤの読み取りタイミングに基づいて各遊技客の来店時刻を認識する来店時刻認識手段と、
前記台毎端末が読み取った前記個人ＩＤに基づいて当該台毎端末に対応した遊技機で遊技中の遊技客を特定する遊技客特定手段と、
前記来店時刻認識手段及び遊技客特定手段からの出力に基づいて、遊技場に来店した遊技客毎の遊技継続の有無をその来店時刻順に整理した状態の遊技状況一覧画面を表示するデータ表示手段とを備えたことを特徴とする遊技場用管理システム。
【請求項２】
前記来店時刻認識手段は、遊技客に対してその来店時刻順に管理番号を付すように構成され、
前記データ表示手段は、前記遊技状況一覧画面での表示を前記管理番号に基づいて行うように構成されていることを特徴とする請求項１記載の遊技場用管理システム。
【請求項３】
前記データ表示手段は、前記遊技状況一覧画面を複数の時間帯に区分した状態で表示することを特徴とする請求項１または２記載の遊技場用管理システム。
【請求項４】
前記遊技機に係る遊技データを集計する遊技データ集計手段と、
この遊技データ集計手段が集計した遊技データ並びに前記遊技客特定手段からの出力に基づいて遊技客毎の個人収支データを集計管理する個人データ管理手段とを備え、
前記データ表示手段は、前記遊技状況一覧表示画面に遊技継続中と表示された遊技客について、前記個人データ管理手段により集計された個人収支データの大小を識別可能な形態で表示することを特徴とする請求項１ないし３の何れかに記載の遊技場用管理システム。
【発明の詳細な説明】
【技術分野】
【０００１】
本発明は、複数台の遊技機が設置された遊技場用の管理システム、特には、遊技客を特定可能な個人ＩＤが記録された顧客特定媒体を利用して各遊技客の遊技状況の管理を行うようにした遊技場用管理システムに関する。
【背景技術】
【０００２】
パチンコホールのような遊技場においては、例えば特許文献１に見られるように、複数台の遊技機についての稼働情報（稼働中、特賞中（大当たり中）、打止中など）を一覧表示画面で表示するようにした遊技管理装置が提供されている。また、近年では、遊技場側に会員登録された遊技客に個人ＩＤを記録した会員カードを発行し、その個人ＩＤを利用して会員毎の来店状況、遊技機での遊技状況などを管理することが行われている。
【特許文献１】特開２０００‐８４２２１号公報
【発明の開示】
【発明が解決しようとする課題】
【０００３】
会員登録された遊技客に会員カードを発行するシステムでは、会員の遊技履歴や会員カードの利用履歴などを個人ＩＤに基づいて絞り込むことにより、各会員について、来店時刻、遊技場内での滞在時間、当日の個人収支データなどの情報を得ることが可能である。しかしながら、従来では、来店した全会員ついてこのような情報をリアルタイムで表示するシステムが提供されておらず、このため来店した会員の動向を遊技場の運営に役立てることが困難になるという問題点があった。
【０００４】
本発明は上記事情に鑑みてなされたものであり、その目的は、来場した遊技客についての遊技場内での動向をリアルタイムに尚且つ一目で把握することが可能になる遊技場用管理システムを提供することにある。
【課題を解決するための手段】
【０００５】
請求項１記載の発明は、上記目的を達成するために、複数台の遊技機が設置された遊技場用の管理システムにおいて、遊技客を特定可能な個人ＩＤが記録された顧客特定媒体と、前記遊技機と対応した位置に設けられ、当該遊技機での遊技時に前記顧客特定媒体から前記個人ＩＤを読み取る台毎端末と、この台毎端末による前記個人ＩＤの読み取りタイミングに基づいて各遊技客の来店時刻を認識する来店時刻認識手段と、前記台毎端末が読み取った前記個人ＩＤに基づいて当該台毎端末に対応した遊技機で遊技中の遊技客を特定する遊技客特定手段と、前記来店時刻認識手段及び遊技客特定手段からの出力に基づいて、遊技場に来店した遊技客毎の遊技継続の有無をその来店時刻順に整理した状態の遊技状況一覧画面を表示するデータ表示手段とを備えた構成としたものである。
【０００６】
この場合、請求項２記載の発明のように、前記来店時刻認識手段を、遊技客に対してその来店時刻順に管理番号を付す構成とし、前記データ表示手段を、前記遊技状況一覧画面での表示を前記管理番号に基づいて行う構成とすることができる。
【０００７】
また、請求項３記載の発明のように、前記データ表示手段は、前記遊技状況一覧画面を、複数の時間帯に区分した状態で表示する構成であっても良い。
【０００８】
さらに、請求項４記載の発明のように、前記遊技機に係る遊技データを集計する遊技データ集計手段と、この遊技データ集計手段が集計した遊技データ並びに前記遊技客特定手段からの出力に基づいて遊技客毎の個人収支データを集計管理する個人データ管理手段とを備えた上で、前記データ表示手段を、前記遊技状況一覧表示画面に遊技継続中と表示された遊技客について、前記個人データ管理手段により集計された個人収支データの大小を識別可能な形態で表示する構成とすることもできる。
【発明の効果】
【０００９】
請求項１記載の発明によれば、遊技場に来店した遊技客が、遊技機での遊技時において自身が所持した顧客特定媒体の個人ＩＤを台毎端末に読み取らせると、来店時刻認識手段が、その読み取りタイミングに基づいて当該遊技客の来店時刻を認識するようになる。上記個人ＩＤは遊技客毎に異なるものであるから、上述したような来店時刻の認識は、顧客特定媒体を台毎端末で使用した全ての遊技客について行うことができる。一方、遊技客が個人ＩＤを台毎端末に読み取らせた状態で対応する遊技機での遊技を行っているときには、遊技客特定手段が、遊技機で遊技中の遊技客を台毎端末が読み取った個人ＩＤに基づいて特定するようになる。この結果、来店時刻認識手段の出力によって遊技場に来店した遊技客の来店時刻を知ることができ、遊技客特定手段の出力によって当該遊技客の遊技継続の有無を知ることができる。データ表示手段は、このような来店時刻認識手段及び遊技客特定手段からの出力に基づいて、遊技場に来店した遊技客毎の遊技継続の有無をその来店時刻順に整理した状態の遊技状況一覧画面を表示する。従って、この遊技状況一覧画面の表示内容に基づいて、来場した遊技客についての遊技場内での動向をリアルタイムに尚且つ一目で把握することが可能になるから、例えば、遊技客に対しきめ細かいサービスを提供することが可能になるなど、遊技場の運営上において有益な効果が得られる。
【００１０】
請求項２記載の発明によれば、遊技状況一覧画面中における遊技客についての遊技継続の有無の表示が、各遊技客の来店時刻順に付された管理番号（つまり、通し番号）より行われるから、その来店時刻順の把握をきわめて正確に行い得る。
【００１１】
請求項３記載の発明によれば、遊技状況一覧画面が複数の時間帯に区分した状態で表示されるから、各時間帯での遊技客の動向を容易に把握できるようになり、以て遊技客に対するサービス提供を時間帯毎にきめ細かく行うことが可能になるなどの効果が得られる。
【００１２】
請求項４記載の発明によれば、遊技状況一覧画面中に、現在遊技継続中の遊技客についての来店時刻順と共に当該遊技客の個人収支データも表示されるから、遊技客の動向を把握する上で便利になる。
【発明を実施するための最良の形態】
【００１３】
以下、本発明の一実施例について図面を参照しながら説明する。尚、本実施例では、事前に会員登録された遊技客（会員）に対して、当該遊技客を特定可能な会員ＩＤ（個人ＩＤに相当）が付与された会員カード（顧客特定媒体に相当）を発行し、その会員カードの利用をもって種々のサービス（貯玉、再プレイなど）を提供するカードシステムが構築されたパチンコホール（遊技場）を対象としている。
【００１４】
図１には本実施例によるシステムの全体構成が概略的に示されている。この図１において、多数台のパチンコ遊技機１と隣接した各位置には、会員カード及びプリペイドカードからの情報読み取り機能を備えた台毎端末２が設置されており、パチンコ遊技機１は、台毎端末２がプリペイドカードから読み取った残金に応じた個数のパチンコ玉を、パチンコ遊技機１側に設けられた払出ボタン（図示せず）の押下げ操作に応じて貸出すＣＲ機として構成されている。また、パチンコ遊技機１及び台毎ユニット２は、中継器３を介してＬＡＮ４に接続されている。
【００１５】
台毎端末２には、図２に概略的に示すように、稼働状態及びエラー状態などを表示するための状態表示ランプ５、暗証番号の入力などに使用されるテンキースイッチ６、前記会員カード及びプリペイドカードから情報を読み取るためのカード情報読取ユニット７などが設けられている。
この台毎端末２は、カード情報読取ユニット７にセットされた会員カードから読み出した会員ＩＤに対応した貯玉口座（これについては後述する）に貯玉の残高があり、且つテンキースイッチ６を通じて当該会員カード毎に予め登録されている暗証番号が入力された場合に、パチンコ遊技機１側に設けられた再プレイボタン（図示せず）の押下げ操作に応じて貯玉残高の範囲内でパチンコ玉を引き落として返却するという再プレイ機としての機能を備えたものである。
【００１６】
尚、パチンコ遊技機１から中継器３へは、周知のアウト玉数信号、セーフ玉数信号、大当たり信号（特賞信号とも呼ばれる）、スタート信号などが出力され、台毎端末２から中継器３へは、プリペイドカードによる売上高を示す売上信号、貯玉の返却数を示す再プレイ玉数信号、プリペイドカード及び会員カードが挿入状態にあることをそれぞれ示すカード検出信号などが出力される。
【００１７】
図１に戻って、前記ＬＡＮ４には、管理コンピュータ８（来店時刻認識手段、遊技客特定手段、データ表示手段、遊技データ集計手段、個人データ管理手段に相当）が接続されている。この管理コンピュータ８は、パチンコ遊技機１及び台毎端末２から出力される種々の信号（アウト玉数信号、セーフ玉数信号、大当たり信号、売上信号、再プレイ玉数信号、カード検出信号など）に基づいて、パチンコホール内の全部のパチンコ遊技機１での各種の遊技データ（アウト玉数、セーフ玉数、差玉数、ベース（大当たり期間にない通常期間の出玉率）、大当たり回数、大当たり出玉数、スタート回数、大当たり中セーフ玉数など）、並びに台毎端末２での各種の貸出データ（売上金額、割数、再プレイ金額など）を集計して管理用データベースに蓄積する機能（本発明でいう遊技データ集計手段としての機能）を備えた周知構成のものである。
【００１８】
また、この管理コンピュータ８側には、周知の貯玉口座、つまり、会員カードの発行を受けている遊技客について、パチンコ遊技機１での獲得パチンコ玉数に応じた貯玉情報を当該遊技客に付与されている会員ＩＤと対応付けた状態の有価価値情報として累積的に記憶すると共に、その貯玉情報の決済（再プレイ玉としての払出、景品との交換に応じた払出、パチンコホール内に設置された自動販売機での商品の払出など）を任意時期に行い得る遊技客用個人用の貯玉口座が開設されている。
【００１９】
さて、管理コンピュータ８には、上記のような機能の他に、本発明の要旨に関係した遊技状況一覧画面表示機能並びに個人データ管理機能を備えた構成とされており、以下においてはこれらの機能について図３ないし図８も参照しながら説明する。
【００２０】
（１）管理コンピュータ８は、台毎端末２が会員カードから会員ＩＤを読み取ったときに、その会員ＩＤに対応した遊技客の名前、つまり会員名を認識すると共に、会員ＩＤの読み取りタイミングに基づいて当該遊技客の来店時刻を認識し、その来店時刻順に管理番号を付す機能（本発明でいう来店時刻認識手段としての機能）を備えている。具体的には、台毎端末２が会員ＩＤを読み取ったときに、対応する会員名を認識すると同時に、その会員ＩＤが当日において始めて読み取ったものであるか否かを判定し、初めて読み取った会員ＩＤである旨の判定を行った場合には、その読み取り時刻を遊技客来店時刻として記憶すると共に、当該遊技客に対して管理番号を付す。この管理番号は、例えば「１」を初期値とし、新たな遊技客についての来店時刻を認識する毎に「１」ずつインクリメントされる。つまり、管理番号は、各遊技客（会員）の来店時刻順に付された通し番号となる。
【００２１】
（２）管理コンピュータ８は、台毎端末２で会員カードから読み取った会員ＩＤに基づいて、当該台毎端末２に対応したパチンコ遊技機１で遊技中の遊技客をリアルタイムで特定する機能（本発明でいう遊技客特定手段としての機能）を備えている。この場合、パチンコ遊技機１で遊技中であると特定した遊技客の識別は、当該遊技客に付された管理番号により行う構成となっている。
【００２２】
（３）管理コンピュータ８は、前述の遊技データ集計手段としての機能により集計した遊技データ（パチンコ遊技機１に係るアウト玉数、セーフ玉数など）、並びに前記遊技客特定手段からの出力（台毎端末２が読み取った会員ＩＤに基づいて特定された遊技客を示す出力）に基づいて、遊技客毎の個人収支データを集計管理する機能（本発明でいう個人データ管理手段としての機能）を備えている。
具体的には、上記個人収支データは、例えば図３（ａ）に示すようなフォーマットのデータとして集計管理される。即ち、図３（ａ）において、遊技客毎の個人収支データは、前述した複数の管理番号及び会員名の組合せとそれぞれ対応付けた状態で、各遊技客がパチンコ遊技機１で遊技した際の遊技データ（アウト玉数、セーフ玉数、差玉数、ベース、大当たり回数、大当たり出玉数、スタート回数、大当たり中セーフ玉数、売上金額）の累計値を羅列した形態となっている。尚、この個人収支データは、会員が複数台のパチンコ遊技機１で遊技した場合（所謂台移動を行った場合）には、それらパチンコ遊技機１での遊技データの累計値となるものであるが、台移動の前後の個人収支データを個別に集計管理しても良い。
【００２３】
（４）管理コンピュータ８は、前述の遊技データ集計手段としての機能により集計した全部のパチンコ遊技機１についての遊技データを予め決められた時刻毎に集計した結果を定時集計データとして管理する機能を備えている。具体的には、上記定時集計データは、パチンコホールの営業時間帯中における正時毎の遊技データの累計値に対応したもので、例えば図３（ｂ）に示すようなフォーマットのデータとして集計管理される。即ち、図３（ｂ）において、定時集計データは、そのデータ収集時刻とそれぞれ対応付けた状態で、パチンコホール全体のアウト玉数、セーフ玉数、差玉数、大当たり回数、大当たり出玉数、客単価、売上金額、景品金額（景品の払い出し額）、再プレイ金額を羅列した形態となっている。
【００２４】
（５）管理コンピュータ８は、前述した来店時刻認識手段としての機能により認識した遊技客の来店時刻及びその来店時刻順に付した管理番号、並びに前述した遊技客特定手段としての機能による特定内容（パチンコ遊技機１で遊技中であるか否かの有無）に基づいて、以下（ａ）、（ｂ）、（ｃ）、（ｄ）、（ｅ）のような稼働状況画面、来店時間帯別稼働状況画面、稼働状況集約画面、稼働及び収支状況画面、稼働継続時間画面（それぞれ本発明でいう遊技状況一覧画面に相当）の何れかを選択的に表示する機能（本発明でいうデータ表示手段としての機能）を備えている。
【００２５】
（ａ）稼動状況画面
この稼働状況画面には、図４に示すように、来店した遊技客に付された管理番号が、その番号順に並べた状態で表示されると共に、それら管理番号のうち、パチンコ遊技機１において遊技継続中の遊技客に対応した管理番号が他の管理番号（パチンコ遊技機１での遊技を終了した遊技客に対応した管理番号）と区別可能な状態で表示される。このような区別は、例えば、遊技継続中の遊技客に対応した管理番号のグループと遊技終了した遊技客に対応した管理番号のグループとで表示色を異ならせる方法や、一方のグループに属する管理番号を反転表示する方法などで行うことができるものであるが、図４の例では、遊技継続中の遊技客に対応した管理番号のグループを網掛けした状態で表現している。この場合、管理番号は遊技客の来店時刻順に付されるものであるから、上記稼働状況画面には、来店した遊技客毎の遊技継続の有無がその来店時刻順に整理した状態で表示されることになる。
【００２６】
（ｂ）来店時間帯別稼働状況画面
この来店時間帯別稼働状況画面は、前記（ａ）の稼働状況画面（図４参照）を変形した形態のものであり、図５に示すように、当該稼動状況画面における管理番号が、その管理番号に対応した遊技客の来店時刻毎に複数の時間帯に区分した状態で表示される。
【００２７】
（ｃ）稼働状況集約画面
この稼働状況集約画面は、図６に示すように、来店した遊技客に付された管理番号のうち、パチンコ遊技機１において遊技継続中の遊技客に対応した管理番号のみが、その番号順に並べた状態で表示される。
【００２８】
（ｄ）稼働及び収支状況画面
この稼働及び収支状況表示画面には、前記（ｂ）の来店時間帯別稼働状況画面（図５参照）を変形した形態のものであり、図７に示すように、当該稼動及び収支状況画面における管理番号のうち遊技継続中の遊技客に対応した管理番号が、その遊技客の個人収支データ（図３（ａ）参照）のレベル（プラス側４段階、マイナス側４段階）に応じて互いに区別可能な状態で表示される。このような区別は、例えば、収支レベルに応じて表示色を異ならせる方法で行うことができるものであるが、図７の例では、網掛けやハッチングを用いて表現している。
【００２９】
（ｅ）稼働継続時間画面
この稼働継続時間画面には、遊技客の遊技状況がその来店時刻順に付された管理番号により表示されると共に、その管理番号が、別途算出された各遊技客によるパチンコ遊技機１の稼働時間毎に複数段階に区分し且つその区分内で番号順に並べた状態で表示される。尚、各遊技客の稼働時間は、当該遊技客についての個人収支データ（図３（ａ）参照）中のアウト玉数を、パチンコ遊技機１における単位時間当たりのパチンコ玉発射可能最大数（例えば１００個／分）で除算することにより算出できる。
【００３０】
この場合、上記（ａ）〜（ｅ）のような稼動状況表示画面、来店時間帯別稼働状況画面、稼働状況集約画面、稼働及び収支状況画面、稼働継続時間画面を表示した各状態において、当該表示画面上の管理番号がクリックされたときには、その管理番号に対応した個人収支データ（図３（ａ）参照）、このデータとは別途収集した遊技履歴、対応する遊技客（会員）の個人情報などを選択的に表示できる構成となっている。
【００３１】
要するに、上記した本実施例によれば、以下に述べるような作用・効果を奏することができる。
即ち、パチンコホールに来店した遊技客（会員）が、パチンコ遊技機１での遊技に際して自身が所持した会員カードを台毎端末２のカード情報読取ユニット７にセットして会員ＩＤを読み取らせると、管理コンピュータ８が、その会員ＩＤに基づいて遊技客の名前（会員名）を認識すると共に、会員ＩＤの読み取りタイミングに基づいて遊技客の来店時刻を認識し、当該遊技客に対し来店時刻順を示す管理番号（「１」からの通し番号）を付すようになる。この場合、上記会員ＩＤは遊技客毎に異なるものであるから、上述したような来店時刻の認識は、会員カードを台毎端末２で使用した全ての遊技客について行うことができる。また、管理コンピュータ８は、台毎端末２で会員カードから読み取った会員ＩＤに基づいて、当該台毎端末２に対応したパチンコ遊技機１で遊技中の遊技客をリアルタイムで特定するようになり、これにより当該遊技客の遊技継続の有無を認知するようになる。
【００３２】
管理コンピュータ８は、上述のように付した管理番号や遊技客の遊技継続の有無の認知結果などに基づいて、パチンコホールに来店した遊技客毎の遊技継続の有無をその来店時刻順に整理した状態の複数種類の遊技状況一覧画面を表示する。具体的には、図４ないし図８に示すような稼働状況画面、来店時間帯別稼働状況画面、稼働状況集約画面、稼働及び収支状況画面、稼働継続時間画面を選択的に表示できる構成となっている。
【００３３】
従って、上記のような各表示画面の表示内容に基づいて、来場した遊技客についてのパチンコホール内での動向をリアルタイムに尚且つ一目で把握することが可能になる。この場合、各画面中における遊技客についての遊技継続の有無の表示が、各遊技客の来店時刻順に付された管理番号（つまり、通し番号）より行われるから、その来店時刻順の把握をきわめて正確に行い得るようになる。例えば、図４の稼働状況画面によれば、パチンコホールの開店後における比較的早い時間帯に来場した遊技客のほとんどが遊技を終了して帰っている状況、現在時刻に近い時間帯に来場した遊技客の多くが遊技を継続している状況などを把握できる。これにより、例えば、遊技客に対しきめ細かいサービスを提供することが可能になるなど、遊技場の運営上において有益な効果が得られる。
【００３４】
また、図５の来店時間帯別稼働状況画面によれば、遊技客の遊技状況を示す一覧画面が複数の時間帯に区分した状態で表示されるから、各時間帯での遊技客の動向を容易に把握できるようになり、以て遊技客に対するサービス提供を時間帯毎にきめ細かく行うことが可能になるなどの効果が得られる。図６の稼働状況集約画面によれば、遊技継続中の遊技客に対応した管理番号のみが表示されるから、遊技継続中の遊技客の実数を把握する上で便利になる。
【００３５】
図７の稼働及び収支状況画面によれば、遊技客の遊技状況がその来店時刻順に付された管理番号により表示されると共に、現在遊技継続中の遊技客に対応した管理番号が当該遊技客の個人収支データのレベル（プラス側４段階、マイナス側４段階）に応じて互いに区別可能な状態で表示されるから、遊技客の動向を把握する上で便利になる。図８の稼働継続時間画面によっても、遊技客の遊技状況がその来店時刻順に付された管理番号により表示されると共に、その管理番号が、別途算出された各遊技客によるパチンコ遊技機１の稼働時間毎に複数段階に区分し且つその区分内で番号順に並べた状態で表示されるから、遊技客の遊技継続時間を把握する上で便利になる。
【００３６】
上記のような稼動状況表示画面、来店時間帯別稼働状況画面、稼働状況集約画面、稼働及び収支状況画面、稼働継続時間画面を表示した各状態において、当該表示画面上の管理番号がクリックされたときには、その管理番号に対応した個人収支データ、このデータとは別途収集した遊技履歴、対応する遊技客（会員）の個人情報などを選択的に表示できる構成となっているから、実際にシステムを運用する際に便利になる。
【００３７】
尚、上記実施例において、稼動状況表示画面、来店時間帯別稼働状況画面、稼働状況集約画面、稼働及び収支状況画面、稼働継続時間画面を表示した各状態で、管理コンピュータ８が集計管理する定時集計データ（図３（ｂ）参照）或いは他の管理データを任意に呼び出して表示できる構成としても良いことは勿論である。
【００３８】
その他、本発明は上記し且つ図面に示した実施例に限定されるものではなく、以下に述べるような変形または拡大が可能である。
パチンコ遊技機以外の遊技機、例えば遊技媒体としてコインを使用するスロットマシンが設置された遊技場にも適用できる。特に、パチンコ遊技機及びスロットマシンが並設されている場合には、遊技データ、個人収支データ、定時集計データなどをパチンコ遊技機及びスロットマシンに区分して集計することになる。顧客特定媒体として会員カードの例を挙げたが、会員を特定できるものであれば他の形態のもの（例えば携帯電話機）であっても良い。或いは、指紋や声紋といった生体情報に基づいて会員を特定するようにしても良い。
【図面の簡単な説明】
【００３９】
【図１】本発明の一実施例を示すシステム全体の概略的構成図
【図２】台毎端末の概略的な正面図
【図３】集計データのフォーマット例を示す図
【図４】稼動状況表示画面の表示例を示す図
【図５】来店時間帯別稼働状況画面の表示例を示す図
【図６】稼働状況集約画面の表示例を示す図
【図７】稼働及び収支状況画面の表示例を示す図
【図８】稼働継続時間画面の表示例を示す図
【符号の説明】
【００４０】
１はパチンコ遊技機、２は台毎端末、７はカード情報読取ユニット、８は管理コンピュータ（来店時刻認識手段、遊技客特定手段、データ表示手段、遊技データ集計手段、個人データ管理手段）を示す。
【図１】
2005118431.tif 000003
【図２】
2005118431.tif 000004
【図３】
2005118431.tif 000005
【図４】
2005118431.tif 000006
【図５】
2005118431.tif 000007
【図６】
2005118431.tif 000008
【図７】
2005118431.tif 000009
【図８】
2005118431.tif 000010